(57)【要約】【課題】紛失又は盗難等により所有者の手元から離れた際に、他人により悪用又は内部個人情報の漏洩を防止可能にする携帯端末装置およびそのリモート操作方法を提供する。【解決手段】携帯端末装置１０には、発信者番号抽出手段２１およびパスワード抽出手段２２を有する通信制御部２０と、発信者番号チェック手段３１、パスワードチェック手段３２およびパスワード入力待ちタイマ３３を有するキーロック制御部３０と、パスワード設定手段４１を有するユーザ設定部４０とを備えている。携帯端末装置１０の所有者は、パスワード設置手段４１に予めパスワードを設定する。紛失又は盗難時には、電話機１３から携帯端末装置１０を呼び出し、所定のパスワードを入力して、ロック操作する。アンロック時にも同じ電話機１３から携帯端末装置１０を呼び出してアンロック操作する。【選択図】図１
2005328435.tif 000002
【特許請求の範囲】
【請求項１】
基地局を介して無線通信回線により他の端末装置と音声やデータを送受信すると共に、紛失又は盗難等により所有者の手元から離れた際に前記所有者が他の端末装置からの指示によりキー操作機能を停止するロック機能を備える携帯端末装置において、
他の端末装置からの発信を受信して発信者番号およびパスワードを抽出する通信制御部と、前記所有者により予め入力されるパスワードを記憶するユーザ設定部と、前記抽出されたパスワードおよび前記ユーザ設定部に設定されたパスワードを比較してロック操作を行い、該ロック操作時に記憶された発信者番号に基づきアンロック操作するキーロック制御部とを備えることを特徴とする携帯端末装置。
【請求項２】
前記キーロック制御部は、発信者番号チェック手段を備え、前記ロック操作時に前記通信制御部で抽出した発信者電話番号を記憶すると共に、該記憶された発信者番号に基づいて前記アンロック操作時の発信者の認証を行うことを特徴とする請求項１に記載の携帯端末装置。
【請求項３】
前記キーロック制御部は、前記他の端末装置からの発信を受信すると、該端末装置のユーザに対してパスワードの入力を促すメッセージを送信することを特徴とする請求項１又は２に記載の携帯端末装置。
【請求項４】
前記キーロック制御部は、パスワード入力待ちタイマを備え、パスワードの入力指示から所定時間内にパスワードの入力の有無を判定することを特徴とする請求項３に記載の携帯端末装置。
【請求項５】
紛失又は盗難等により所有者の手元を離れた携帯端末装置の悪用又は個人データの漏洩を防止するため、ロック操作又はアンロック操作を他の端末装置から行う携帯端末装置のリモート操作方法において、
前記携帯端末装置に予めパスワードを設定することと、前記携帯端末装置が受信する他の端末装置からの発信から発信者番号を抽出して記憶することと、前記他の端末装置からの発信に応じて前記他の端末装置にパスワードの入力を促すことと、前記発信者番号および前記パスワードをチェックすることとを備え、前記パスワード又は発信者番号のチェック結果に基づいて前記ロック操作又はアンロック操作を行うことを特徴とする携帯端末装置のリモート操作方法。
【請求項６】
前記携帯端末装置は、前記他の端末装置からのパスワードの入力待ち時間をチェックし、所定時間内に前記パスワードの入力がある場合のみに前記ロック又はアンロック操作を可能にすることを特徴とする請求項５に記載の携帯端末装置のリモート操作方法。
【発明の詳細な説明】
【技術分野】
【０００１】
本発明は携帯端末装置に関し、特に紛失又は盗難等により所有者の手元から離れた場合に、他の電話機からリモート操作でロックおよびアンロック（即ち、キーロックの実行／解除）を行う携帯端末装置およびそのリモート操作方法に関する。
【背景技術】
【０００２】
携帯電話機（Cellular Phone）、ＰＨＳ（Personal
Handyphone System）、ＰＤＡ（Personal Digital Assistant:個人向け携帯型情報通信機器）等の携帯通信装置（以下、これらを総称して携帯端末装置という）は、比較的狭いサービスエリアを有する多数の基地局を介して無線通信回線により他の端末装置と音声やデータの送受信を行う。斯かる携帯端末装置は、小型軽量化および高性能化が進み且つ比較的安価であるので、携帯型の通信手段として現在広く普及している。
【０００３】
しかし、斯かる携帯端末装置は、そのユーザ（利用者又は所有者）の不注意又は事故等により、紛失又は盗難等の潜在的な危険性を有する。斯かる携帯端末装置の紛失又は盗難は、その携帯端末装置を他人に使用され、その使用料金が元の所有者に課金されるという損失に加えて、携帯端末装置の内部に登録又は記憶されている住所録、予定表、銀行口座番号、パスポート番号および運転免許証番号等の個人的なデータ（以下、個人情報という）が漏洩するという重大な損失を伴う虞がある。
【０００４】
携帯端末装置を万一紛失した場合に、上述の如き損失を防止するための種々の技術も研究開発され、開示されている。電子ロックの施錠および解除を許してもよい携帯電話の電話番号および暗証コードを内部のメモリに対応付けて保持し、更に内部の判定器により外部の携帯電話からの着信時に、その発信元携帯電話の電話番号および送信される暗証コードがメモリに保存されたものと一致するか否か判定し、一致した場合に電子ロックの施錠および解除を行わせる遠隔地からの電子ロックシステムが開示されている（例えば、特許文献１参照。）。また、基地局を介して送られてくる着信信号に含まれる発呼者電話番号を内部のメモリに予めロック処理用電話番号として登録された電話番号と比較して一致する場合に、ダイヤリングの抑止又はメモリに記憶されている個人情報の漏洩を防止するロック処理を行うダイヤル／データロック機能付き携帯電話が開示されている（例えば、特許文献２参照。）。更に、携帯電話通信事業者の電話オペレータ又は自動音声案内による認証で、ロックを実行／解除する外部ダイヤルロック／データロックシステムが開示されている（例えば、特許文献３参照。）。
【０００５】
【特許文献１】特開２０００−２０２９号公報（第３頁、第１図）
【特許文献２】特開２０００−１５１７９８号公報（第５頁、第１図）
【特許文献３】特開２００２−１１８８７６号公報（第２−３頁、第１図）
【発明の開示】
【発明が解決しようとする課題】
【０００６】
しかし、上述したものを含め従来技術には、以下の如き課題を有する。即ち、リモート操作により発信操作をロックするサービスは、予め登録した電話番号からの発信のみロック操作が可能であり、またロック解除操作もこの端末からのパスワード入力となる。紛失又は盗難等の場合には、携帯端末装置を直ちにロック操作することが上述した危険防止に重要である。しかし、時間および場所的制約又は登録した電話番号の失念等の事情により登録された電話番号からの発信が不可能であった場合には、ロック操作が不可能であると共に仮にロックされた状態になったとしてもこの端末を取得した第三者がパスワードを類推する等の手段によりロックを解除してしまう可能性もある。
【０００７】
また、上述した特許文献３の如き解決手段は、携帯電話通信事業者の電話オペレータ又は自動音声案内による認証でロックを実行／解除するので、通信事業者内に携帯電話をロックするための専用システムが必要になる。
【課題を解決するための手段】
【０００８】
前述の課題を解決するため本発明による携帯端末装置およびそのリモート操作方法は次の特徴的な構成を採用している。
【０００９】
（１）基地局を介して無線通信回線により他の端末装置と音声やデータを送受信すると共に、紛失又は盗難等により所有者の手元から離れた際に前記所有者が他の端末装置からの指示によりキー操作機能を停止するロック機能を備える携帯端末装置において、
他の端末装置からの発信を受信して発信者番号およびパスワードを抽出する通信制御部と、前記所有者により予め入力されるパスワードを記憶するユーザ設定部と、前記抽出されたパスワードおよび前記ユーザ設定部に設定されたパスワードを比較してロック操作を行い、該ロック操作時に記憶された発信者番号に基づきアンロック操作するキーロック制御部とを備える携帯端末装置。
【００１０】
（２）前記キーロック制御部は、発信者番号チェック手段を備え、前記ロック操作時に前記通信制御部で抽出した発信者電話番号を記憶すると共に、該記憶された発信者番号に基づいて前記アンロック操作時の発信者の認証を行う上記（１）の携帯端末装置。
【００１１】
（３）前記キーロック制御部は、前記他の端末装置からの発信を受信すると、該端末装置のユーザに対してパスワードの入力を促すメッセージを送信する上記（１）又は（２）の携帯端末装置。
【００１２】
（４）前記キーロック制御部は、パスワード入力待ちタイマを備え、パスワードの入力指示から所定時間内にパスワードの入力の有無を判定する上記（３）の携帯端末装置。
【００１３】
（５）紛失又は盗難等により所有者の手元を離れた携帯端末装置の悪用又は個人データの漏洩を防止するため、ロック操作又はアンロック操作を他の端末装置から行う携帯端末装置のリモート操作方法において、
前記携帯端末装置に予めパスワードを設定することと、前記携帯端末装置が受信する他の端末装置からの発信から発信者番号を抽出して記憶することと、前記他の端末装置からの発信に応じて前記他の端末装置にパスワードの入力を促すことと、前記発信者番号および前記パスワードをチェックすることとを備え、前記パスワード又は発信者番号のチェック結果に基づいて前記ロック操作又はアンロック操作を行う携帯端末装置のリモート操作方法。
【００１４】
（６）前記携帯端末装置は、前記他の端末装置からのパスワードの入力待ち時間をチェックし、所定時間内に前記パスワードの入力がある場合のみに前記ロック又はアンロック操作を可能にする上記（５）の携帯端末装置のリモート操作方法。
【発明の効果】
【００１５】
本発明の携帯端末装置およびそのリモード操作方法によると、以下の如き実用上の顕著な効果が得られる。即ち、リモート操作によるキーのロック操作およびアンロック操作の認証を発信者番号により行っているので、携帯電話通信事業者内に特別なシステムを構築する必要がなく、簡単且つ安価に実現可能である。
【００１６】
また、ロック操作を行った端末装置（電話機）のみがアンロック操作を可能にするので、事前にロック操作可能な端末装置（電話機）の番号を登録しておく必要がなく、操作が簡単であるのみならず、紛失や盗難等に気付いた時点で、身近にある発信者番号通知機能を有する任意の端末装置、例えば勤務先の電話機又は同席する友人の携帯電話機を借用して迅速にロック操作が可能であり、携帯端末装置の悪用又は個人情報の漏洩を一層効果的に防止可能であると共に登録された電話番号等を捜し又は記憶を辿る必要がないので、悪用されたり重要な個人情報の漏洩の可能性を最小限にすることが可能である。更に、パスワード入力待ちタイマにより、パスワード入力時間を制限するので、第三者によるパスワードの類推等によるアンロック操作を予防することが可能である。
【実施例１】
【００１７】
以下、本発明による携帯端末装置およびそのリモート操作方法の好適実施例の構成および動作を、添付図面を参照して詳細に説明する。
【００１８】
図１は、本発明による携帯端末装置の好適実施例の構成を示す機能ブロック図である。図１に示す如く、この携帯端末装置１０は、通信制御部２０、キーロック制御部３０、ユーザ設定部４０、アンテナ５０およびキー６０を備える。
【００１９】
更に、通信制御部２０は、発信者番号抽出手段２１およびパスワード抽出手段２２を有する。キーロック制御部３０は、発信者番号チェック手段３１、パスワードチェック手段３２およびパスワード入力待ちタイマ３３を有する。また、ユーザ設定部４０は、パスワード設定手段４１を有する。更に、図１には、携帯電話通信事業者１１および電話機１３を示している。
【００２０】
携帯端末装置１０の主要構成要素の主要機能を説明する。通信制御部２０は、音声通話を制御する。キーロック制御部３０は、キー操作のロック／解除処理を実行する。通信制御部２０の発信者番号抽出手段２１は、音声通話着信時の発信者番号を認識し抽出する。パスワード抽出手段２２は、音声通信中に流れるデータからキーロック処理のためのパスワードを抽出する。キーロック制御部３０の発信者番号チェック手段３１は、発信者番号の記憶／照合を行う。パスワードチェック手段３２は、パスワード抽出手段２２により抽出されたパスワードとユーザ設定部４０のパスワード設定手段４１において設定されたパスワードとの照合を行う。
【００２１】
次に、携帯端末装置１０が紛失又は盗難等の理由により所有者の手元から離れてしまった場合の動作を、図１および図２の動作説明図（又はシーケンス図）を参照して説明する。
【００２２】
先ず、携帯端末装置１０は、初期状態（以下、Status１という）であるとする。任意の電話機１３からのロック操作（以下、Event１という）を行う。この電話機１３は、任意の電話機であるので、身近にある公衆電話機又は同席している友人が所持するの携帯電話であってもよい。このEvent１により、＃１発信者番号が、通信制御部２０の発信者番号抽出手段２１により抽出され、発信者番号チェック３１に格納される。次に、＃２発信者に対してパスワード入力要求メッセージを表示又はパスワード入力を要求する音声メッセージを流して、パスワードの入力を促す。そして、＃３キーロック制御部３０のパスワード入力待ちタイマ３３がスタートし、パスワード入力待ち状態（以下、Status２という）に移行する。
【００２３】
ここで、電話機１３は、着信者（着信端末、ここでは携帯端末装置１０）に対して発信者番号の通知が可能な状態にあるものとする。尚、ロック操作の具体例としては、一定時間内の複数回発信や、一定時間以上の呼び出し継続等の操作が考えられる。また、パスワード入力待ちタイマ３３の具体的な値についてもシステム毎に最適と思われる値を設定するものとし、ここでは詳細説明を省略する。
【００２４】
次に、上述したStatus２について説明する。パスワード入力待ちタイマ３３により予め設定された時間が経過、即ちタイムアウトするまでに電話機１３のキー操作によりパスワードの入力（以下、Event２という）が行われると仮定する。先ず、＃１パスワードのチェックを行う。即ち、通信制御部２０のパスワード抽出手段２２は、電話機１３から入力されるパスワードを抽出し、抽出されたパスワードをキーロック制御部３０のパスワードチェック手段３２に受け渡す。
【００２５】
キーロック制御部３０のパスワードチェック手段３２は、予めユーザ設定部４０のパスワード設定手段４１で設定されたパスワードと照合を実行する。この照合結果がＯＫ（即ち、両者が一致）であれば、後述する＃２キーロック処理を実行し、アンロック操作待ち（以下、Status３という）に移行する。他方、この照合結果がＮＧ（即ち、両者が不一致）である場合には、再度Status２に戻ってパスワードの再入力を待つ。尚、電話機１３からパスワードが入力されることなくパスワード入力待ちタイマ３３がタイムアウトしてしまった場合（以下、Event３という）には、電話機１３および携帯端末装置１０の通信回線を切断し、上述したStatus１に戻るものとする。ここで、「キーロックを実行する」とは、携帯端末装置１０のキー６０の操作が一切不可能な状態、即ち、携帯端末装置１０を使用不能の状態にすることである。
【００２６】
次に、Status３について説明する。アンロック操作（Event1）が発生した場合には、＃１発信者番号チェックを実行する。即ち、キーロック制御部３０の発信者番号チェック手段３１は、内部に格納された発信者番号と、通信制御部２０の発信者番号抽出手段２１により抽出された発信者番号とを照合する。この照合結果がＯＫであれば、＃２パスワード入力要求メッセージを表示する又は電話機１３に対してパスワード入力を要求する音声メッセージが流れる。そして、＃３パスワード入力待ちタイマ３３をスタートし、パスワード入力待ち状態（以下、Status４という）に移行する。他方、照合結果がＮＧであれば、接続通信回線が切断され、上述したStatus３に戻る。尚、この特定実施例で、アンロック操作は、ロック操作と同じ操作とする。
【００２７】
次に、Status４について説明する。キーロック制御部３０のパスワード入力待ちタイマ３３がタイムアウトするまでに電話機１３のキー操作によりパスワード入力（Event２)が行われると、上述と同様にパスワードの照合が行われる。この照合結果がＯＫであれば、キーロックを解除してロック操作待ち（Status１)に移行する。他方、照合結果がＮＧの場合には、再度Status４に戻ってパスワード入力を待つ。
【００２８】
ここで、パスワードが入力されることなくパスワード待ちタイマ３３がタイムアウトしてしまった場合（Event３）には、接続されていた通信回線を切断し、上述したStatus３に戻るものとする。尚、Status３で発信者番号の照合を実行しているが、これはロック操作を実行した電話機１３のみがアンロック操作可能であることを意味する。
【００２９】
以上本発明の好適実施例の構成および動作を詳細に説明した。しかし、斯かる実施例は、本発明の単なる例示に過ぎず、何ら本発明を限定するものではない。本発明の要旨を逸脱することなく、種々の変形変更が可能であること、当業者には容易に理解できよう。例えば、上述した好適実施例において、パスワードチェックの結果がＮＧであった場合には、通信回線を切断してロック操作待ち（Status１）又はアンロック操作待ち（Status４）に戻ってもよい。また、ロック操作およびアンロック操作を異なる操作に定義することにより、複雑であるが一層高度なセキュリティを備えることも可能である。更に、アンロック操作は、パスワードの入力およびチェックを省略して、ロック操作時の発信者番号、即ち電話機の電話番号のみとしてもよい。
【図面の簡単な説明】
【００３０】
【図１】本発明による携帯端末装置の好適実施例の構成を示す機能ブロック図である。
【図２】図１に示す携帯端末装置の動作説明図である。
【符号の説明】
【００３１】
１０  携帯端末装置
１１  携帯電話事業者
１３  電話機（他の端末装置）
２０  通信制御部
２１  発信者番号抽出手段
２２  パスワード抽出手段
３０  キーロック制御部
３１  発信者番号チェック手段
３２  パスワードチェック手段
３３  パスワード入力待ちタイマ
４０  ユーザ設定部
４１  パスワード設定手段
５０  アンテナ
【図１】
2005328435.tif 000003
【図２】
2005328435.tif 000004